(57)【要約】      （修正有）【課題】放送種類とチャンネル番号との組み合わせにより特定される放送波を選択的に受信する放送受信装置において、ユーザが所望の放送種類における所望のチャンネル番号を選択する操作を一層容易にする。【解決手段】放送種類又はチャンネル番号の選択指示を受信する指示受信手段と、前記指示受信手段が放送種類の選択指示を受信した際、直近のチャンネル番号の選択指示の受信からの経過時間が予め定められた時間以内の場合には、受信した選択指示に対応する放送種類と現在のチャンネル番号との組み合わせにより特定される放送波を受信し、直近のチャンネル番号の選択指示の受信からの経過時間が予め定められた時間を超えている場合には、受信した選択指示に対応する放送種類と、当該放送種類に対応付けられた既定のチャンネル番号との組み合わせにより特定される放送波を受信するよう、前記放送受信手段を制御する制御手段と、を備える。【選択図】図４
2008124584.tif 000002
【特許請求の範囲】
【請求項１】
放送種類とチャンネル番号との組み合わせにより特定される放送波を選択的に受信する放送受信手段を有する放送受信装置であって、
放送種類又はチャンネル番号の選択指示を受信する指示受信手段と、
前記指示受信手段が放送種類の選択指示を受信した際、
直近のチャンネル番号の選択指示の受信からの経過時間が予め定められた時間以内の場合には、受信した選択指示に対応する放送種類と現在のチャンネル番号との組み合わせにより特定される放送波を受信し、
直近のチャンネル番号の選択指示の受信からの経過時間が予め定められた時間を超えている場合には、受信した選択指示に対応する放送種類と、当該放送種類に対応付けられた既定のチャンネル番号との組み合わせにより特定される放送波を受信するよう、
前記放送受信手段を制御する制御手段と、
を備えることを特徴とする放送受信装置。
【請求項２】
放送種類毎に、最後に視聴したチャンネル番号を対応付けて記憶部に記憶する記憶手段を更に備え、
前記既定のチャンネル番号は、当該放送種類に対応付けられて前記記憶部に記憶されたチャンネル番号であることを特徴とする請求項１に記載の放送受信装置。
【請求項３】
前記放送受信手段が受信する放送波の映像を外部装置に出力する出力手段を更に備え、
前記出力手段は、前記指示受信手段がチャンネル番号の選択指示を受信してから前記予め定められた時間が経過するまでの間、予め定められた画像を前記映像に重畳して出力することを特徴とする請求項１又は２に記載の放送受信装置。
【請求項４】
前記予め定められた画像は、前記放送受信手段が受信中の放送波に関する放送種類及びチャンネル番号のうち、少なくとも一方を示すことを特徴とする請求項３に記載の放送受信装置。
【請求項５】
請求項１乃至４のいずれか１項に記載の放送受信装置を備えることを特徴とするテレビジョン受像機。
【請求項６】
放送種類とチャンネル番号との組み合わせにより特定される放送波を選択的に受信する放送受信手段を有する放送受信装置の制御方法であって、
放送種類又はチャンネル番号の選択指示を受信する指示受信工程と、
前記指示受信工程において放送種類の選択指示が受信された際、
直近のチャンネル番号の選択指示の受信からの経過時間が予め定められた時間以内の場合には、受信された選択指示に対応する放送種類と現在のチャンネル番号との組み合わせにより特定される放送波を受信し、
直近のチャンネル番号の選択指示の受信からの経過時間が予め定められた時間を超えている場合には、受信された選択指示に対応する放送種類と、当該放送種類に対応付けられた既定のチャンネル番号との組み合わせにより特定される放送波を受信するよう、
前記放送受信手段を制御する制御工程と、
を備えることを特徴とする制御方法。
【請求項７】
請求項６に記載の制御方法をコンピュータに実行させるためのプログラム。
【発明の詳細な説明】
【技術分野】
【０００１】
本発明は、放送種類とチャンネル番号との組み合わせにより特定される放送波を選択的に受信する放送受信装置、テレビジョン受像機、及び、放送受信装置の制御方法に関する。
【背景技術】
【０００２】
現在、複数種類の放送（例えば、ＢＳデジタル放送、ＣＳデジタル放送、地上デジタル放送、地上アナログ放送など）を受信可能なテレビジョン受像機が普及している。このテレビジョン受像機のユーザが、所望の種類の放送（放送種類）における所望のチャンネルで放映中の番組を視聴する場合、以下に述べる手順でテレビジョン受像機を操作する。
【０００３】
現在視聴中の番組と所望の番組とで放送種類が異なる場合は、まず、ユーザは、リモコンなどを用いて、所望の放送種類（例えば、ＢＳデジタル放送）を選択するようにテレビジョン受像機に指示する。ユーザの指示を受けると、テレビジョン受像機は、指示された放送種類（例えば、ＢＳデジタル放送）の既定のチャンネル（例えば、その放送種類に関して最後に選択されていたチャンネル）の放送波を受信し、受信した放送波に含まれる映像を表示する。次に、ユーザは、リモコンなどを用いて、所望のチャンネル（例えば、１０３チャンネル）を選択するようにテレビジョン受像機に指示する（例えば１０３チャンネルに割り当てられたリモコンの「３」ボタンを押下する）。ユーザの指示を受けると、テレビジョン受像機は、現在の放送種類の指示されたチャンネルの放送波を受信し、受信した放送波に含まれる映像を表示する。
【０００４】
また、現在視聴中の番組と所望の番組とで放送種類が同じ場合は、上記所望の放送種類を選択する指示を省略してもよく、上記所望のチャンネルを選択する指示のみでよい。
【０００５】
また、特許文献１によれば、デジタル放送受信機のリモコンに複数の数字キーが設けられており、各数字キーには、放送種類ごとに特定のチャンネルが対応付けられている。特定の数字キーが所定時間内の間隔で連続して押下された場合、特許文献１のデジタル放送受信機は、放送種類を順次切り換えて選択する。このとき、デジタル放送受信機は、選択した放送種類に関して押下された数字キーが対応付けられているチャンネルを選択する。
【特許文献１】特開２００５−３１８５５１号公報
【発明の開示】
【発明が解決しようとする課題】
【０００６】
前述の通り、従来のテレビジョン受像機は、選択する放送種類を切り換えた際に、選択した放送種類に関する既定のチャンネルを選択する。そのため、現在選択されている放送種類をユーザが勘違いした場合（例えば、実際は地上デジタル放送が選択されているにも関わらず、ＢＳデジタル放送が選択されていると勘違いした場合）、以下に述べる問題が発生する場合がある。
【０００７】
ユーザが、例えばＢＳデジタル放送の１０３チャンネルを選択したいと考えて、ＢＳデジタル放送の１０３チャンネルに対応付けられている「３」キーを押下した場合を考える。この場合、現在選択されている放送種類が地上デジタル放送であると、ユーザの意図に反して、地上デジタル放送に関して「３」キーに対応付けられているチャンネル（例えば、地上デジタル放送の０３１チャンネル）が選択されてしまう。ここで、ユーザがリモコン上の放送種類を切り換えるキーを押下してＢＳデジタル放送を選択すると、ＢＳデジタル放送の既定のチャンネル（例えば、１５１チャンネル）が選択される。そのため、ユーザは改めてリモコン上の「３」キーを押下する必要があり、煩わしい。
【０００８】
ここで、上述の問題に対して、特許文献１に開示されている技術を適用した場合を考える。この場合、ユーザの意図に反して地上デジタル放送の０３１チャンネルが選択された後、ユーザが所定時間内の間隔で連続して何回か「３」キーを押下すれば、ユーザが意図したＢＳデジタル放送の１０３チャンネルが選択される。しかし、放送種類が例えば４種類ある場合、ユーザは「３」キーを最大で３回押下しなければ意図した放送種類が選択されないため、依然として煩わしい。更に、「３」キーを連続して押下する際に勢い余って余分に押下してしまうと、意図した放送種類が選択されるまで更に何回か「３」キーを押下する必要があるという問題もある。
【０００９】
本発明はこのような状況に鑑みてなされたものである。即ち、放送種類とチャンネル番号との組み合わせにより特定される放送波を選択的に受信する放送受信装置において、ユーザが所望の放送種類における所望のチャンネル番号を選択する操作を一層容易にする技術を提供することを目的とする。
【課題を解決するための手段】
【００１０】
上記課題を解決するために、第１の本発明によれば、放送種類とチャンネル番号との組み合わせにより特定される放送波を選択的に受信する放送受信手段を有する放送受信装置であって、放送種類又はチャンネル番号の選択指示を受信する指示受信手段と、前記指示受信手段が放送種類の選択指示を受信した際、直近のチャンネル番号の選択指示の受信からの経過時間が予め定められた時間以内の場合には、受信した選択指示に対応する放送種類と現在のチャンネル番号との組み合わせにより特定される放送波を受信し、直近のチャンネル番号の選択指示の受信からの経過時間が予め定められた時間を超えている場合には、受信した選択指示に対応する放送種類と、当該放送種類に対応付けられた既定のチャンネル番号との組み合わせにより特定される放送波を受信するよう、前記放送受信手段を制御する制御手段と、を備えることを特徴とする放送受信装置が提供される。
【００１１】
また、第２の本発明によれば、第１の本発明に係る放送受信装置を備えることを特徴とするテレビジョン受像機が提供される。
【００１２】
また、第３の本発明によれば、放送種類とチャンネル番号との組み合わせにより特定される放送波を選択的に受信する放送受信手段を有する放送受信装置の制御方法であって、放送種類毎に、最後に視聴したチャンネル番号を対応付けて記憶部に記憶する記憶工程と、放送種類又はチャンネル番号の選択指示を受信する指示受信工程と、前記指示受信工程において放送種類の選択指示が受信された際、直近のチャンネル番号の選択指示の受信からの経過時間が予め定められた時間以内の場合には、受信された選択指示に対応する放送種類と現在のチャンネル番号との組み合わせにより特定される放送波を受信し、直近のチャンネル番号の選択指示の受信からの経過時間が予め定められた時間を超えている場合には、受信された選択指示に対応する放送種類と、当該放送種類に対応付けられて前記記憶部に記憶されたチャンネル番号との組み合わせにより特定される放送波を受信するよう、前記放送受信手段を制御する制御工程と、を備えることを特徴とする制御方法が提供される。
【００１３】
尚、その他の本発明の特徴は、添付図面及び以下の発明を実施するための最良の形態における記載によって更に明らかになるものである。
【発明の効果】
【００１４】
以上の構成により、本発明によれば、放送種類とチャンネル番号との組み合わせにより特定される放送波を選択的に受信する放送受信装置において、ユーザが所望の放送種類における所望のチャンネル番号を選択する操作を一層容易にすることが可能となる。
【発明を実施するための最良の形態】
【００１５】
以下、添付図面を参照して、本発明の実施形態を説明する。以下で説明される個別の実施形態は、本発明の上位概念、中位概念および下位概念など種々の概念を理解するために役立つであろう。
【００１６】
尚、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１７】
また、以下では、デジタル放送（ＢＳデジタル放送、ＣＳデジタル放送、地上デジタル放送など）に対応したテレビジョン受像機（以下、「デジタルテレビ」という）に本発明の技術を適用して各実施形態を説明する。しかし、例えば、アナログ放送のみ（例えば、ＢＳアナログ放送、ＣＳアナログ放送、地上アナログ放送など）に対応したテレビジョン受像機に各実施形態を適用することもできる。また、表示装置とチューナーが一体化したテレビジョン受像機以外の放送受信装置、例えば、アナログもしくはデジタルテレビジョンチューナーを備える録画装置などにも各実施形態を適用できる。この場合、ユーザは、外部表示装置（例えば、テレビジョン受像機やディスプレイモニタ装置）を録画装置に接続することにより、放映される番組を鑑賞することができる。また、テレビジョン受像機には、同等の機能を有する機器、例えばテレビジョンチューナーを備えるパーソナルコンピュータやセットトップボックス（ＳＴＢ）、携帯電話機等も含まれる。
【００１８】
［第１の実施形態］
＜システムの構成＞
図１は、本発明の技術を適用したデジタルテレビ２と、デジタルテレビ２を操作するためのリモコン１とから構成されるシステムを示すブロック図である。
【００１９】
リモコン１において、リモコン操作部３は、チャンネルの選択（以下、「選局」と呼ぶ）やその他の操作のための種々のボタン（キー）を有する。リモコン送信部４は、何らかのボタンが押下された場合に、押下されたボタンに対応する赤外線信号を送信する。リモコン１の詳細は、図２を参照して後述する。
【００２０】
デジタルテレビ２において、リモコン受信部５は、リモコン送信部４が送信した赤外線信号を受信し、受信した赤外線信号に含まれる、押下されたボタンに対応する制御コードをリモコン通知部６へ出力する。
【００２１】
リモコン通知部６は、デジタルテレビ２の状態に応じて、リモコン受信部５が出力した制御コードに対応する（即ち、リモコン１において押下された数字ボタンに対応する）処理を行う処理部に対して、制御コードを通知する。
【００２２】
例えば、デジタルテレビ２が選局操作を受け付ける状態で数字ボタンが押下された場合は、リモコン通知部６は、選局処理部７に対して制御コードを通知する。また、例えば、デジタルテレビ２が郵便番号入力を受け付ける状態で数字ボタンが押下された場合は、リモコン通知部６は、郵便番号入力処理部（不図示）に対して制御コードを通知する。
【００２３】
選局処理部７は、デジタルテレビ２に放送波を受信させるか、或いは、ビデオ入力を受け付けさせるかを選択する。放送波を受信させる場合は、選局処理部７は更に、放送種類（ＢＳデジタル放送、ＣＳデジタル放送、地上デジタル放送、地上アナログ放送のいずれか）と、チャンネル番号とを選択する。ビデオ入力を受け付けさせる場合は、選局処理部７は更に、複数のビデオ入力端子の中から１つを選択する。選局処理部７の詳細は、図３及び図４を参照して後述する。
【００２４】
尚、リモコン受信部５、リモコン通知部６、及び選局処理部７の組み合わせが、放送種類又はチャンネル番号の選択指示を受信する指示受信手段として機能する。
【００２５】
ＢＳ／ＣＳデジタルチューナー部８は衛星アンテナ入力端子を備え、地上デジタルチューナー部９は地上アンテナ入力端子を備える。そして、それぞれ衛星アンテナ入力端子又は地上アンテナ入力端子から入力された信号を復調し、選択されたチャンネルに対応する周波数帯域のデジタル放送信号（トランスポートストリーム（ＴＳ））を抽出する。
【００２６】
地上アナログチューナー部１０は、地上アンテナ入力端子を備える。そして、地上アンテナ入力端子から入力された信号を復調し、指定されたチャンネルに対応する周波数帯域のアナログ映像信号、アナログ音声信号、番組情報を抽出する。
【００２７】
ビデオ入力部１１は、選局処理部７によって選択されたビデオ入力端子からアナログ映像信号、アナログ音声信号を受信する。
【００２８】
デジタル放送信号処理部１２は、ＢＳ／ＣＳデジタルチューナー部８及び地上デジタルチューナー部９から取り出されたデジタル放送信号（ＴＳ）から、デジタル映像信号、デジタル音声信号、番組情報を抽出する。
【００２９】
番組情報処理部１３は、デジタル放送信号のＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）やアナログ放送信号の垂直帰線消去期間に含まれる番組情報を参照する。そして、放送種類、チャンネル番号、番組名、番組説明などの各種情報を示す映像信号を生成し、映像処理部１４へ出力する。
【００３０】
映像処理部１４は、デジタル映像信号、アナログ映像信号、番組情報処理部１３が出力した映像信号などを選択的に合成し、画質の調整を行って、表示部１５へ出力する。
【００３１】
これにより、表示部１５には、選択されているチャンネルで放映中の番組の映像が表示される。また、例えば、表示部１５の表示領域の隅に、チャンネル番号や番組名が表示されたり、表示領域の一部に番組の詳しい説明が表示されたり、表示領域全体に番組表が表示されたりする。チャンネル番号、番組名、番組の詳しい説明、及び、番組表などは、番組の映像に重畳して表示されてもよい。
【００３２】
音声処理部１６は、デジタル音声信号やアナログ音声信号に対して、音量や音質の調整を行い、スピーカー部１７へ出力する。
【００３３】
起動／終了処理部１８は、リモコン１の電源ボタンが押下されると、デジタルテレビ２を起動又は終了するための処理を行う。
【００３４】
タイマー部１９は、時刻を保持するいわゆる時計であり、必要に応じて各処理部から参照される。
【００３５】
＜リモコン１＞
図２は、リモコン１の外観を詳細に示す図である。
【００３６】
放送種類切換ボタン１０５は、ＢＳボタン１０１、ＣＳボタン１０２、地上Ｄ（デジタル）ボタン１０３、及び、地上Ａ（アナログ）ボタン１０４を含む。これらのボタンは、デジタルテレビ２が受信する放送種類を選択するために使用される。即ち、ＢＳボタン１０１はＢＳデジタル放送を、ＣＳボタン１０２はＣＳデジタル放送を、地上Ｄボタン１０３は地上デジタル放送を、地上Ａボタン１０４は地上アナログ放送を、それぞれ選択するために使用される。
【００３７】
数字ボタン１０６は、１〜１２の数字が付された１２個のボタンを含む（ただし、「１０」ボタンは、「０」ボタンを兼ねる）。数字ボタン１０６は、チャンネル番号を選択したり、郵便番号を入力したりするために使用される。
【００３８】
ここで、チャンネル番号について簡単に説明する。チャンネル番号は、複数の桁数（例えば３桁）で表現されるものがある。例えば、日本の地上デジタル放送では各チャンネルに３桁の番号が割り当てられており、０１１チャンネルなどと表現されている。また、チャンネル番号はリモコンの数字ボタンに割り当てることが一般的であるため、チャンネル番号が数字ボタンの数で表現される場合もある。例えば、地上デジタル放送の０１１チャンネルがリモコンの数字ボタン「１」にプリセットされた状態の場合、地上デジタル放送の１チャンネルと表現する場合がある。従って、地上デジタル放送の０１１チャンネルを選択する場合、ユーザは、リモコン１の「１」ボタンを押下してもよい（以後、この選局方法をワンタッチ選局と称する）。或いは、３桁入力ボタン１０７の押下後、数字ボタン１０６を「０」「１」「１」の順に押下してもよい（以後、この選局方法をダイレクト選局と称する）。本願では、特に断らない限り、リモコンの数字ボタンで表現されるチャンネル番号と３桁のチャンネル番号とを区別せず、単に「チャンネル番号」と呼ぶ。
【００３９】
３桁入力ボタン１０７は、ダイレクト選局のために使用されるボタンであり、数字ボタン１０６の押下に先立って押下される。この場合、続いて押下される数字ボタン１０６は、リモコン受信部５において、０〜９の数字として扱われる。
【００４０】
チャンネルアップダウンボタン１０８は、チャンネル番号を所定の順序で順次選局するためのチャンネルアップボタンとチャンネルダウンボタンを含む。
【００４１】
ＧＵＩ（グラフィカルユーザインタフェース）操作ボタン１０９は、データ放送や番組表などのＧＵＩの操作を行うためのボタンの集合である。ＧＵＩ操作ボタン１０９は、例えば、データ放送画面を表示するｄボタン、番組表を表示する番組表ボタン、フォーカスを上下左右に移動する４個の矢印ボタンを含む。また、フォーカスされている項目の処理を実行する決定ボタン、前の画面に戻るための戻るボタン、青、赤、緑、黄の各色に対応付けられた処理を行う４個のカラーボタンなどを含む。
【００４２】
電源ボタン１１０は、デジタルテレビ２に起動処理及び終了処理を指示するためのボタンである。デジタルテレビ２が電源待機（オフ）状態で押下されると、デジタルテレビ２は起動処理を行い、電源オン状態になる。デジタルテレビ２が電源オン状態で押下されると、デジタルテレビ２は終了処理が行い、電源待機状態になる。
【００４３】
入力切換ボタン１１１は、デジタルテレビ２が放送波を受け付けるかビデオ入力を受け付けるかを切り換えるためのボタンである。
【００４４】
音量ボタン１１２は、音量を増加させる音量プラスボタンと、音量を減少させる音量マイナスボタンを含む。
【００４５】
＜放送種類選択処理及びチャンネル番号選択処理＞
選局処理部７の詳細を示す図３、及び、デジタルテレビ２における放送種類選択処理及びチャンネル番号選択処理の流れを示す図４を参照して、本実施形態に係る放送種類選択処理及びチャンネル番号選択処理を説明する。
【００４６】
ステップＳ１００１で、選局処理部７は、チャンネル又は放送種類を選択する指示を受信するのを待ち、受信するとステップＳ１００２に進む。具体的には、例えば、リモコン１の放送種類切換ボタン１０５が押下された場合に、選局処理部７の放送種類決定部２１（図３）が、リモコン通知部６を介して、選択する放送種類を示す放送種類指示情報を受信する。また、数字ボタン１０６やチャンネルアップダウンボタン１０８などが押下された場合に、選局処理部７のチャンネル番号決定部２４（図３）が、リモコン通知部６を介して、チャンネル指示情報を受信する。
【００４７】
チャンネル指示情報は、選局方法に応じて、異なる情報を示す。例えば、ワンタッチ選局が行われた場合は、「ワンタッチ選局による１チャンネル」のような情報を示し、ダイレクト選局が行われた場合は、「ダイレクト選局による０１１チャンネル」のような情報を示す。また、チャンネルアップダウンボタン１０８による選局が行われた場合は、「次のチャンネル」又は「前のチャンネル」のような情報を示す。
【００４８】
ステップＳ１００２で、選局処理部７は、ステップＳ１００１で受信した指示がチャンネル番号を指定する指示であるか否かを判定する。具体的には、ステップＳ１００１でチャンネル番号決定部２４がワンタッチ選局又はダイレクト選局によるチャンネル指示情報を受信していた場合、ステップＳ１００１で受信した指示がチャンネル番号を指定する指示であると判定されステップＳ１００３に進む。そうでなければ、ステップＳ１００９に進む。
【００４９】
ステップＳ１００３で、チャンネル番号決定部２４は、チャンネル指示情報が示すチャンネル番号をチャンネル切換制御部２２（図３）に通知する。
【００５０】
ステップＳ１００４で、チャンネル番号決定部２４は、指定チャンネル番号記憶部２７に、チャンネル指示情報が示すチャンネル番号（又は、チャンネル指示情報そのもの）を記憶する。
【００５１】
ステップＳ１００５で、チャンネル番号決定部２４は、タイマー部１９を参照して、時間計測部２８（図３）に現在時刻をセットする。
【００５２】
ステップＳ１００６で、チャンネル切換制御部２２は、放送種類決定部２１から通知された放送種類、及び、チャンネル番号決定部２４から通知されたチャンネル番号に従い、放送種類及びチャンネルを選択する。ただし、ステップＳ１００５又はＳ１０１５からＳ１００６に到達した場合は、放送種類は通知されないので、現在選択中の放送種類がそのまま選択される。チャンネル切換制御部２２は、選択された放送種類に対応するチューナーを有効とし、選択されたチャンネルを抽出するようにチューナーを制御する。また、選択された放送種類以外のチューナーを無効とする。従って、映像処理部１４や音声処理部１６へは、有効なチューナーからの出力信号のみが入力される。
【００５３】
より詳細に説明すると、選択された放送種類がＢＳデジタル放送又はＣＳデジタル放送であれば、チャンネル切換制御部２２は、図５の対応表に従って、ＢＳ／ＣＳデジタルチューナー部８へ選局パラメータを入力する。選局パラメータは、ネットワーク（放送種類）識別、トランスポートストリーム識別、及び、サービス識別を含む。
【００５４】
また、選択された放送種類が地上デジタル放送であれば、チャンネル切換制御部２２は、図６の対応表に従って、地上デジタルチューナー部９へ選局パラメータを入力する。
【００５５】
また、選択された放送種類が地上アナログ放送であれば、チャンネル切換制御部２２は、図７の対応表に従って、地上アナログチューナー部１０へ選局パラメータ（ＶＨＦまたはＵＨＦの周波数帯域に対応するチャンネル）を入力する。
【００５６】
尚、図５乃至図７の対応表は、例えば選局処理部７のメモリ（不図示）に格納される。また、チャンネルの新設、廃止、変更などがあった場合や、デジタルテレビ２が設置されている地域が移動した場合などには、選局パラメータは変更される。更に、ユーザが指定したチャンネル番号が対応表に存在しない場合は、放送種類及びチャンネル番号はいずれも変更されない。
【００５７】
ステップＳ１００７で、チャンネル切換制御部２２は、現在放送種類記憶部２３（図３）に、ステップＳ１００６における処理の結果選択された放送種類を記憶する。
【００５８】
ステップＳ１００８で、チャンネル切換制御部２２は、既定チャンネル番号記憶部２５（図３）に、ステップＳ１００６における処理の結果選択された放送種類において選択されたチャンネルを記憶する。従って、既定チャンネル番号記憶部２５は、最後に選択されたチャンネル番号を放送種類ごとに記憶する。次いで、ステップＳ１００１に戻り、同様の処理を繰り返す。
【００５９】
一方、ステップＳ１００２において、ステップＳ１００１で受信した指示がチャンネル番号を指定する指示でないと判定された場合は、ステップＳ１００９へ進む。
【００６０】
ステップＳ１００９では、選局処理部７は、ステップＳ１００１で受信した指示が放送種類を指定する指示であるか否かを判定する。具体的には、ステップＳ１００１で放送種類決定部２１が放送種類指示情報を受信していた場合は、ステップＳ１００１で受信した指示が放送種類を指定する指示であると判定され、ステップＳ１０１０に進む。そうでなければ、ステップＳ１０１５に進む。
【００６１】
ステップＳ１０１０で、放送種類決定部２１は、放送種類指示情報が示す放送種類をチャンネル切換制御部２２及びチャンネル番号決定部２４に通知する。
【００６２】
ステップＳ１０１１で、チャンネル番号決定部２４は、時間計測部２８にセットされている時刻（前回、チャンネル番号が指定された時刻）と、タイマー１９の現在時刻とを比較し、経過時間を算出する。
【００６３】
ステップＳ１０１２で、チャンネル番号決定部２４は、ステップＳ１０１１で算出された経過時間が所定時間以内（例えば５秒）であるか否かを判定する。所定の時間以内であればステップＳ１０１３に進み、そうでなければステップＳ１０１４に進む。
【００６４】
ステップＳ１０１３で、チャンネル番号決定部２４は、指定チャンネル番号記憶部２７に記憶されているチャンネル番号をチャンネル切換制御部２２に通知し、ステップＳ１００６へ進む。
【００６５】
一方、ステップＳ１０１４では、チャンネル番号決定部２４は、既定チャンネル番号記憶部２５に記憶されている、ステップＳ１０１０で通知された放送種類に対応するチャンネル番号をチャンネル切換制御部２２に通知し、ステップＳ１００６へ進む。
【００６６】
ステップＳ１０１２乃至Ｓ１０１４の処理により、選局処理部７が放送種類指示情報を受信した際、チャンネル番号決定部２４は、直近のワンタッチ選局又はダイレクト選局によるチャンネル指示情報の受信からの経過時間に基づいてチャンネル番号を選択する。ここで、直近とは一つ前のチャンネル指示情報の受信を指すものである。即ち、経過時間が所定時間以内の場合には、チャンネル番号決定部２４は、選択された放送種類においても現在のチャンネル番号（即ち、指定チャンネル番号記憶部に記憶されているチャンネル番号）を改めて選択する。一方、経過時間が予め定められた時間を超えている場合には、チャンネル番号決定部２４は、選択された放送種類の既定のチャンネル番号を選択する。そして、チャンネル番号決定部２４は、選択したチャンネル番号をチャンネル切換制御部２２に通知する。チャンネル切換制御部２２は、放送種類決定部２１から通知された放送種類、及び、チャンネル番号決定部２４から通知されたチャンネル番号により特定される放送波を受信するように、チューナー部を制御する。
【００６７】
一方、ステップＳ１００９において、ステップＳ１００１で受信した指示が放送種類を指定する指示でないと判定された場合は、ステップＳ１０１５へ進む。
【００６８】
ステップＳ１０１５では、チャンネル番号決定部２４は、チャンネル指示情報の「次のチャンネル」又は「前のチャンネル」が示すチャンネルをチャンネル切換制御部２２に通知し、ステップＳ１００６へ進む。
【００６９】
また、上述したリモコン１の操作以外の操作で選局処理部７がチャンネル又は放送種類を選択する指示を受信した場合も、ステップＳ１０１５で、放送種類決定部２１及びチャンネル番号決定部２４が、適宜放送種類等をチャンネル切換制御部２２に通知する。例えば、デジタルテレビ２が電源待機状態から電源ボタン１１０の押下によって電源オン状態になったときや、ビデオ入力状態から入力切換ボタン押下によって放送波を受信する状態になった場合などがこの場合に対応する。
【００７０】
以上の処理（特に、ステップＳ１０１２乃至Ｓ１０１４）により、チャンネル番号の指定してから所定時間以内に放送種類が指定された場合は、指定された放送種類の既定のチャンネルではなく、直前に指定されたチャンネル番号が選択される。一方、チャンネル番号の指定から所定時間を超えて放送種類が指定された場合は、指定された放送種類の既定のチャンネルが選択される。
【００７１】
これにより、ユーザが所望のチャンネルを選択する操作が一層容易になる。以下、図８及び図９を参照して、具体例を説明する。
【００７２】
図８（ａ）に示すように、ユーザがＢＳデジタル放送の３チャンネルに選局したい場合に、現在ＢＳデジタル放送を視聴中であると勘違いして、ＢＳボタン１０１を押下せずに「３」ボタンを押下したとする。この場合に、実際には地上デジタル放送を視聴中だったとすると、地上デジタル放送の３チャンネルが選局される。ここで、ユーザが所定時間内にＢＳボタン１０１を押下すると、上述のステップＳ１０１３が実行されて、ＢＳデジタル放送の３チャンネルが選局される。
【００７３】
また、図９（ａ）に示すように、ユーザがダイレクト選局によりＢＳデジタル放送の１０３チャンネルに選局したい場合を考える。ユーザがＢＳデジタル放送を視聴中であると勘違いして、ＢＳボタン１０１を押下せずに３桁入力ボタン１０７を押下し、続けて数字ボタン１０６を「１」「０」「３」の順に入力したとする。この場合に、実際には地上デジタル放送を視聴中だったとすると、地上デジタル放送の１０３チャンネルが選局される。ここで、ユーザが所定時間内にＢＳボタン１０１を押下すると、上述のステップＳ１０１３が実行されて、ＢＳデジタル放送の１０３チャンネルが選局される。
【００７４】
また、視聴中の放送種類において、選択したチャンネル番号に対応するチャンネルが存在しない場合にも、同様の処理が行われる。
【００７５】
例えば、図８（ｂ）では、図８（ａ）と異なり、ユーザが「３」ボタンを押下しても地上デジタル放送には３チャンネルが存在しないため、チャンネルが切り換わらない。しかし、３チャンネルが指定されたことは、上述のステップＳ１００４の処理で記憶される。そのため、ユーザが続けて所定時間内にＢＳボタン１０１を押下すると、ＢＳデジタル放送の３チャンネルが選択される。
【００７６】
また、ダイレクト選局の場合も、図９（ｂ）に示すように、図８（ｂ）と同様の処理が行われる。
【００７７】
尚、上記の説明では、チャンネル番号を指定してから所定時間を超えて放送種類が指定された場合は、既定チャンネル番号記憶部２５に記憶されている既定のチャンネルが選択されるようにデジタルテレビ２を構成した。しかし、それ以外の方法で選局するようにデジタルテレビ２を構成してもよい。
【００７８】
例えば、チャンネルごとの視聴回数や視聴時間、ジャンルごとの視聴回数や視聴時間、予めユーザが登録した好みのジャンルやキーワードなどの情報を所定の場所に記録しておく。そして、これらの情報に基づいて当該放送種類の中でユーザが最も好むチャンネル（または当該放送種類で現在放送中の番組の中でユーザが最も好む番組）を推定して、当該チャンネルに選局するようにしてもよい。推定方法については、任意の公知の技術を利用可能である。
【００７９】
以上説明したように、本実施形態によれば、デジタルテレビ２が放送種類を切り換える場合、前回チャンネル番号が指定されてから所定時間経過したか否かに基づいて、切り換え後の放送種類におけるチャンネルを選択する。具体的には、チャンネル番号の指定してから所定時間以内に放送種類が指定された場合は、指定された放送種類の既定のチャンネルではなく、直前に指定されたチャンネル番号が選択される。一方、チャンネル番号の指定から所定時間を超えて放送種類が指定された場合は、指定された放送種類の既定のチャンネルが選択される。
【００８０】
これにより、放送種類とチャンネル番号との組み合わせにより特定される放送波を選択的に受信する放送受信装置において、ユーザが所望の放送種類における所望のチャンネル番号を選択する操作を一層容易にすることが可能となる。
【００８１】
［第２の実施形態］
第１の実施形態では、デジタルテレビ２が放送種類を切り換える場合、前回チャンネル番号が指定されてから所定時間経過したか否かに基づいて、切り換え後の放送種類におけるチャンネルを選択した。第２の実施形態では、所定時間が経過したか否かをユーザが認識しやすくするように、第１の実施形態を変形する。
【００８２】
尚、本実施形態において、リモコン１及びデジタルテレビ２の構成は第１の実施形態と同様であるため、その説明を省略する（図１乃至図３参照）。
【００８３】
図１０は、第２の実施形態において、デジタルテレビ２における放送種類選択処理及びチャンネル番号選択処理の流れを示すフローチャートである。図１０において、第１の実施形態と同一の処理を行うステップには同一の符号を付し、説明を省略する（図４参照）。
【００８４】
ステップＳ２００１で、番組情報処理部１３は、ステップＳ１００６における処理の結果選択されたチャンネルの番組情報を番組の映像に重畳させて表示する。また、タイマー部１９を参照して時間計測部２８に現在時刻を格納する。次いで、ステップＳ１００１に戻り、同様の処理を繰り返す。また、図示しないが、番組情報処理部１３は、時間計測部２８に格納した時刻とタイマー部１９とを継続的に比較し、番組情報の表示から所定時間（例えば、５秒）が経過すると、番組情報の表示を停止する。また、番組情報処理部１３は、番組情報を表示中であるか否かを示すフラグを保持する。
【００８５】
番組情報の表示は、例えば、図１１に示すように、テレビ画面２０１の上部に、ワンタッチチャンネル番号２０２、放送種類２０３、３桁チャンネル番号２０４、チャンネルロゴ２０５、チャンネル名２０６、番組名２０７、放送時間２０８を含む。ワンタッチチャンネル番号２０２は、リモコンの数字ボタンで表現される１乃至１２のチャンネル番号である。
【００８６】
ステップＳ２００１において、以前のチャンネルの番組情報が既に表示されている場合は、番組情報処理部１３はそれを消去してから、選局後の番組の番組情報を表示する。
【００８７】
ステップＳ２００２では、チャンネル番号決定部２４は、番組情報が表示中であるか否かを番組情報処理部１３へ問い合わせる。番組情報が表示中であれば、ステップＳ２００３へ進み、そうでなければ、ステップＳ１０１４に進む。
【００８８】
ステップＳ２００３で、チャンネル番号決定部２４は、指定チャンネル番号記憶部２７に有効なチャンネル番号が格納されているか否かを判定する。格納されていればステップＳ１０１３に進み、格納されていなければステップＳ１０１４に進む。
【００８９】
ステップＳ２００４では、チャンネル番号決定部２４は、指定チャンネル番号記憶部２７に無効値を記憶する（即ち、指定チャンネル番号記憶部２７に格納されているチャンネル番号を消去する）。そして、ステップＳ１００６へ進む。
【００９０】
ステップＳ２００３及びＳ２００４の処理は、次のような働きをする。即ち、選局処理部７がワンタッチ選局又はダイレクト選局によるチャンネル指示情報を受信してから放送種類指示情報を受信するまでの間に他の情報を受信すると、その後放送種類指示情報を受信しても本願の選局処理（Ｓ１０１３）は行われない。これにより、例えば、ユーザがチャンネルアップダウンボタン１０８を押下した直後に放送種類切換ボタン１０５を押下した場合は、チャンネル番号決定部２４は、選択された放送種類に関する既定のチャンネル番号を選択する。
【００９１】
尚、上述の説明では、番組情報処理部１３は、番組情報を表示してから所定時間が経過すると、番組情報を消去した。しかし、番組情報処理部１３は、番組情報を消去せずに表示内容を変更してもよい。この場合、ステップＳ２００２においては、チャンネル番号決定部２４は、番組情報の表示内容が変更前であるか変更後であるかを判定する。
【００９２】
例えば、番組情報処理部１３は、所定時間が経過するまでは図１１に示すように多くの情報を表示し、所定時間経過後は図１２に示すように放送種類２０３や３桁チャンネル番号２０４のみの限定した情報を表示するようにしてもよい。
【００９３】
また、番組情報表示の消去とほぼ同時に放送種類切換ボタン１０５が押下された場合を考える。通常、デジタルテレビ２が放送種類切換ボタン１０５による指示を処理するまでにはタイムラグがある。そのため、ユーザは番組情報表示中に放送種類切換ボタン１０５を押下したつもりでも、デジタルテレビ２は、番組情報表示の消去後にボタンが押下されたと判定する可能性がある。従って、番組情報表示の消去後、所定のマージン期間（例えば０．５秒）以内に放送種類切換ボタン１０５が押下された場合は、番組情報表示中にボタンが押下されたとみなすようにデジタルテレビ２を構成してもよい。
【００９４】
以上説明したように、本実施形態によれば、番組情報処理部１３は、チャンネル番号が指定されてから所定時間が経過するまで、番組情報を表示する。そして、デジタルテレビ２が放送種類を切り換える場合、番組情報処理部１３が番組情報を表示中であるか否かに基づいて、切り換え後の放送種類におけるチャンネルを選択する。
【００９５】
これにより、第１の実施形態に比べて、チャンネル番号が指定されてから所定時間が経過したか否かをユーザが認識しやすくなる。即ち、ユーザが放送種類切換ボタン１０５により放送種類を選択した場合に、直前に指定されたチャンネル番号又は既定のチャンネル番号のどちらが選択後の放送種類において選択されるか、ユーザが認識しやすくなる。
【００９６】
［その他の実施形態］
上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００９７】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００９８】
更に、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００９９】
【図１】本発明の技術を適用したデジタルテレビ２と、デジタルテレビ２を操作するためのリモコン１とから構成されるシステムを示すブロック図である。
【図２】リモコン１の外観を詳細に示す図である。
【図３】選局処理部７の詳細を示す図である。
【図４】第１の実施形態において、デジタルテレビ２における放送種類選択処理及びチャンネル番号選択処理の流れを示すフローチャートである。
【図５】チャンネル番号とＢＳ／ＣＳデジタルチューナーの選局パラメータとの対応表の一例を示す図である。
【図６】チャンネル番号と地上デジタルチューナーの選局パラメータとの対応表の一例を示す図である。
【図７】チャンネル番号と地上アナログチューナーの選局パラメータとの対応表の一例を示す図である。
【図８】放送種類選択処理及びチャンネル番号選択処理の具体例を示す図である。
【図９】放送種類選択処理及びチャンネル番号選択処理の具体例を示す図である。
【図１０】第２の実施形態において、デジタルテレビ２における放送種類選択処理及びチャンネル番号選択処理の流れを示すフローチャートである。
【図１１】番組情報処理部１３が表示する番組情報の一例を示す図である。
【図１２】番組情報処理部１３が表示する番組情報の一例を示す図である。
【符号の説明】
【０１００】
１  リモコン
２  デジタルテレビ
１０５  放送種類切換ボタン１０５
１０６  数字ボタン
１０８  チャンネルアップダウンボタン
１０９  ＧＵＩ操作ボタン
１１２  音量ボタン
【図１】
2008124584.tif 000003
【図２】
2008124584.tif 000004
【図３】
2008124584.tif 000005
【図４】
2008124584.tif 000006
【図５】
2008124584.tif 000007
【図６】
2008124584.tif 000008
【図７】
2008124584.tif 000009
【図８】
2008124584.tif 000010
【図９】
2008124584.tif 000011
【図１０】
2008124584.tif 000012
【図１１】
2008124584.tif 000013
【図１２】
2008124584.tif 000014
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
放送種類とチャンネル番号との組み合わせにより特定される放送波を選択的に受信する放送受信手段を有する放送受信装置であって、
放送種類又はチャンネル番号の選択指示を受信する指示受信手段と、
前記指示受信手段が放送種類の選択指示を受信した際、
直近のチャンネル番号の選択指示の受信からの経過時間が予め定められた時間以内の場合には、受信した選択指示に対応する放送種類と現在のチャンネル番号との組み合わせにより特定される放送波を受信し、
直近のチャンネル番号の選択指示の受信からの経過時間が前記予め定められた時間を超えている場合には、受信した選択指示に対応する放送種類と、当該放送種類に対応付けられた既定のチャンネル番号との組み合わせにより特定される放送波を受信するよう、
前記放送受信手段を制御する制御手段と、
を備えることを特徴とする放送受信装置。
【請求項２】
放送種類毎に、最後に視聴したチャンネル番号を対応付けて記憶部に記憶する記憶手段を更に備え、
前記既定のチャンネル番号は、当該放送種類に対応付けられて前記記憶部に記憶されたチャンネル番号であることを特徴とする請求項１に記載の放送受信装置。
【請求項３】
前記放送受信手段が受信する放送波の映像を外部装置に出力する出力手段を更に備え、
前記出力手段は、前記指示受信手段がチャンネル番号の選択指示を受信してから前記予め定められた時間が経過するまでの間、予め定められた画像を前記映像に重畳して出力することを特徴とする請求項１又は２に記載の放送受信装置。
【請求項４】
前記予め定められた画像は、前記放送受信手段が受信中の放送波に関する放送種類及びチャンネル番号のうち、少なくとも一方を示すことを特徴とする請求項３に記載の放送受信装置。
【請求項５】
放送種類とチャンネル番号との組み合わせにより特定される放送波を選択的に受信する放送受信手段を有する放送受信装置の制御方法であって、
放送種類又はチャンネル番号の選択指示を受信する指示受信工程と、
前記指示受信工程において放送種類の選択指示が受信された際、
直近のチャンネル番号の選択指示の受信からの経過時間が予め定められた時間以内の場合には、受信された選択指示に対応する放送種類と現在のチャンネル番号との組み合わせにより特定される放送波を受信し、
直近のチャンネル番号の選択指示の受信からの経過時間が前記予め定められた時間を超えている場合には、受信された選択指示に対応する放送種類と、当該放送種類に対応付けられた既定のチャンネル番号との組み合わせにより特定される放送波を受信するよう、
前記放送受信手段を制御する制御工程と、
を備えることを特徴とする制御方法。
【請求項６】
放送種類毎に、最後に視聴したチャンネル番号を対応付けて記憶部に記憶する記憶工程を更に備え、
前記既定のチャンネル番号は、当該放送種類に対応付けられて前記記憶部に記憶されたチャンネル番号であることを特徴とする請求項５に記載の制御方法。
【請求項７】
前記放送受信手段が受信する放送波の映像を外部装置に出力する出力工程を更に備え、
前記出力工程では、前記指示受信工程においてチャンネル番号の選択指示を受信してから前記予め定められた時間が経過するまでの間、予め定められた画像を前記映像に重畳して出力することを特徴とする請求項５又は６に記載の制御方法。
【請求項８】
前記予め定められた画像は、前記放送受信手段が受信中の放送波に関する放送種類及びチャンネル番号のうち、少なくとも一方を示すことを特徴とする請求項７に記載の制御方法。
【請求項９】
請求項５乃至８のいずれか１項に記載の制御方法の各工程をコンピュータに実行させるためのプログラム。
【手続補正３】
【補正対象書類名】明細書
【補正対象項目名】０００１
【補正方法】変更
【補正の内容】
【０００１】
本発明は、放送種類とチャンネル番号との組み合わせにより特定される放送波を選択的に受信する放送受信装置、及び、放送受信装置の制御方法に関する。
【手続補正４】
【補正対象書類名】明細書
【補正対象項目名】００１０
【補正方法】変更
【補正の内容】
【００１０】
上記課題を解決するために、第１の本発明によれば、放送種類とチャンネル番号との組み合わせにより特定される放送波を選択的に受信する放送受信手段を有する放送受信装置であって、放送種類又はチャンネル番号の選択指示を受信する指示受信手段と、前記指示受信手段が放送種類の選択指示を受信した際、直近のチャンネル番号の選択指示の受信からの経過時間が予め定められた時間以内の場合には、受信した選択指示に対応する放送種類と現在のチャンネル番号との組み合わせにより特定される放送波を受信し、直近のチャンネル番号の選択指示の受信からの経過時間が前記予め定められた時間を超えている場合には、受信した選択指示に対応する放送種類と、当該放送種類に対応付けられた既定のチャンネル番号との組み合わせにより特定される放送波を受信するよう、前記放送受信手段を制御する制御手段と、を備えることを特徴とする放送受信装置が提供される。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、第２の本発明によれば、放送種類とチャンネル番号との組み合わせにより特定される放送波を選択的に受信する放送受信手段を有する放送受信装置の制御方法であって、放送種類毎に、最後に視聴したチャンネル番号を対応付けて記憶部に記憶する記憶工程と、放送種類又はチャンネル番号の選択指示を受信する指示受信工程と、前記指示受信工程において放送種類の選択指示が受信された際、直近のチャンネル番号の選択指示の受信からの経過時間が予め定められた時間以内の場合には、受信された選択指示に対応する放送種類と現在のチャンネル番号との組み合わせにより特定される放送波を受信し、直近のチャンネル番号の選択指示の受信からの経過時間が前記予め定められた時間を超えている場合には、受信された選択指示に対応する放送種類と、当該放送種類に対応付けられて前記記憶部に記憶されたチャンネル番号との組み合わせにより特定される放送波を受信するよう、前記放送受信手段を制御する制御工程と、を備えることを特徴とする制御方法が提供される。